(57)【要約】【課題】  手提げ杆付き布製の篭本体を台車に着脱容易に載せると共に篭本体に蓋本体を取り付け、篭本体を台車から取り外し単独の蓋付きバスケットとして使用できるショッピングカーの提供。【解決手段】箱体に門型枠杆を立設し、その天端間に手提げ杆を起倒自在に連結した骨格部材に布製の篭本体を被せ、蓋本体を篭本体の開口を被う中折れ蓋と、前方へ垂下させる前垂れ蓋を折り畳み可能に連設し、中折れ蓋の屈折部を手提げ杆に連結し、篭本体の背面上部にフックを設け、中央部にベルクロを取り付け、台車後部に立設した門型枠杆の上部横方向へ掛け止め杆を設けると共に中央部に横杆を設け、フックを掛け止め杆に掛脱自在に掛け止め、ベルクロを横杆に巻き付けて篭本体を台車に固定並びに取り外し容易に載せた。【選択図】    図２
2010006203.tif 000002
【特許請求の範囲】
【請求項１】
ハンドル杆を傾動可能に取り付けたシッピングカーにおいて、箱体の四隅に門型の枠杆を立設すると共に対向する枠杆の立ち上がり間にわたり補強用の横杆を連結し且つ、枠杆の天端間にわたり門型の手提げ杆を起倒自在に連結した骨格部材を台車に取り付け、篭本体を骨格部材に被せて取り付ける。
手提げ杆に取り付ける蓋本体は篭本体の開口を被う中折れ蓋と、篭本体の前方へ垂下する前垂れ蓋とを折り畳み可能に連設し、中折れ蓋の屈折部を手提げ杆の立ち上がり部に設けた横杆に取り付け、篭本体の背面上部にフックを下向きに取り付けると共に背面中央部にベルクロを上下に設け、台車の後部に立設した門型枠杆の上部に横方向へ背向する掛け止め杆を設けてフックを掛脱自在に掛止すると共に門型枠杆の中央部に設けた横杆にベルクロを巻き付けて篭本体を台車に着脱容易に載せて成るシッピングカー。
【請求項２】
篭本体を台車から取り外し、手提げ杆を握持して単独のバスケットとして使用することを特徴とする請求項１に記載のシッピングカー。
【請求項３】
骨格部材の底部にゴム材の脚部を設けた請求項１に記載のシッピングカー。
【請求項４】
前垂れ蓋にファスナーを有する袋部を設けた請求項１又は請求項３に記載のシッピングカー。
【請求項５】
篭本体の前面にファスナーを取り付け、篭本体の前面を大きく開口できるようにした請求項３又は請求項４に記載のシッピングカー。
【発明の詳細な説明】
【技術分野】
【０００１】
本発明はショッピングカーに関し、物品を入れる蓋付き篭本体を台車に着脱自在に載せ、篭本体に蓋を開閉自在に取り付けている手提げ杆を握持する買物用バスケットとするため篭本体を台車から取り外して単独に使用し又、篭本体を台車に取り付け篭本体の開口部に被せる板材を挿入し補強した蓋の上面にスーパーマーケット備付けのバスケットを載せ軽快に荷物を運ぶものである。
【背景技術】
【０００２】
１  フレームが折り畳み自在なショッピングカーの上部フレームに物品を入れる主バッグと副バッグを分けて固着し、主バッグと副バッグの開口部に折り畳み自在な蓋を交互に被せる考案がある（例えば特許文献１）。
【０００３】
２  ショッピングカーの台座部の前端付近に揺動可能に取り付けた枠杆と、後端付近に取りけたバッグ支持杆に物品を入れるバッグを取り付け、蓋部材の開閉基部を枠杆に取り付けて蓋部材をショッピングカーの前方側へ開くようにした発明がある（例えば特許文献２）。
【０００４】
３  大型バスケット付き手押車に設けているバスケット載置台に立設した門形フレームに蓋を回動可能に取り付け、大型バスケットを支持・固定するバスケット支持杆と蓋とを連結杆で連結し、蓋を上げると連結杆によってバスケット支持杆が下がり、バスケット載置台からバスケットを取り外すようにした発明がある（例えば特許文献３）。
【特許文献１】実開昭６２−７７０７６号公報
【特許文献２】特開２００３−３１２４７８号公報
【特許文献３】特開２００６−３４７４７４号公報
【発明の開示】
【発明が解決しようとする課題】
【０００５】
１の考案は、主バッグと副バッグをショッピングカーの上部フレームに取り付けているためバッグを取り外してスーパーマーケット等の店内へ持ち運びできない。
【０００６】
２の発明のバッグは、台座部の前方に揺動自在に取り付けている枠杆と、台座部の後方に立設したバッグ支持杆に一体的に取り付けているため、バッグを簡単に取り外してスーパーマーケット等の店内へ持ち運びできない。又、バッグには持ち運びに便利な手提げ杆が設けられていない。更にバッグ本体に二つ折れの蓋部材の開閉基部側のみを開閉自在に取り付けているため、後方へ倒れている枠杆を前方へ起こして蓋部材を開け荷物の出し入れをしなければならない不便さがある。
【０００７】
３の発明は、バスケット自体に蓋が取り付けられていないこと及び手提げ杆が設けられていないためスーパーマーケット等の店内でのバスケットの持ち運びが不自由である。
【課題を解決するための手段】
【０００８】
篭本体を台車に立設した枠杆に着脱自在に取り付け、篭本体の開口を被う折り畳み可能な蓋を枠杆に起倒自在に取り付けている手提げ杆を握持し独立した買物用バスケットとして使用し、補強板を挿入した蓋の上面にスーパーマーケット備付けのバスケットを台車上の篭本体に載せて軽快に持ち運びし、篭本体の前面に開閉自在なファスナーを設けた物品の出し入れが容易なショッピングカーを提供する。
【０００９】
布製の篭本体は、乱れ箱の形状を呈する硬質箱体の四隅に門型の枠杆を立設すると共に対向する枠杆の立ち上がり間にわたり補強用の横杆を連結し且つ、枠杆の天端間にわたり手提げ杆を起倒自在に連結した骨格部材に布製の筒体を被せて取り付けられ、硬質箱体の底面に消音と免震を図るゴム材からなる脚部を突設する。
【００１０】
蓋本体は篭本体の開口を被うと共に篭本体の前方へ垂下させるため三つ折り可能に形成され、門型の手提げ杆の立ち上がり間にわたり連結している横杆に篭本体の開口を被う中折れ蓋の屈折部を着脱自在に取り付けると共に、篭本体の前方へ垂下させる前垂れ蓋を折り畳み可能に連設し且つ、前垂れ蓋にファスナー付き袋を設ける。
【００１１】
篭本体の背面上部に断面Ｕ字形の一対のフックを下向きに取り付けると共に中央部に横長の面状ファスナ片を上下に取り付け、台車の後部に立設した門型枠杆の上部に横方向へ背向する掛け止め杆を取り付けると共に面状ファスナ片と対向する位置に横杆を設け、フックを掛け止め杆に掛脱自在に掛止すると共に、面状ファスナ片を横杆に巻き付けて篭本体を台車に固定並びに取り外し容易に載せる。
【００１２】
篭本体を台車から取り外し、手提げ杆を握持し独立した買物用バスケットとして使用し、或いは台車上に篭本体を載せ、補強板を挿入し補強した中折れ蓋の上面にスーパーマーケット備付けのバスケットを載せ、ハンドル杆に取り付けているバンドでバスケットを固定して店内を軽快に持ち運びし、開閉が容易な中折れ蓋で篭本体の開口を被い、又、中折れ蓋の端部を把持し持ち上げることで立ち上がつてくる手提げ杆を握持し、篭本体の前面に大きく開閉自在なファスナーを設けて物品の出し入れを容易にすると共に、ファスナー付き袋に小物を収納するショッピングカーを提供することを目的とする。
【発明の効果】
【００１３】
蓋本体を構成する前垂れ蓋と一体の中折れ蓋の屈折部に取り付けた手提げ杆を握持し独立した買物用バスケットとして使用し、台車上に取り付けた堅牢で且つ底部にゴム材の脚部を取り付けた骨格部材に被せている篭本体を台車上に載せ、脚部で篭本体内の荷物に妄りに振動を与えないようにし、補強板を挿入し補強した中折れ蓋の上面にスーパーマーケット備付けのバスケットを、ハンドル杆に取り付けたバンドで固定して載せることで店内を軽快且つバスケットが落下しないように持ち運びし、開閉が容易な中折れ蓋で篭本体の開口を被い、篭本体の前面に大きく開閉自在なファスナーを設けて物品の出し入れを容易にし、前垂れ蓋に設けたファスナー付き袋に小物を収納することができる。
【発明を実施するための最良の形態】
【００１４】
図１は本発明を示す正面図、図２は同、背面図である。布製の篭本体１は図６の篭本体１を被せる骨格部材６に示すように、乱れ箱の形状を呈する硬質の箱体２の四隅に門型の枠杆３を立設すると共に対向する枠杆３の背部側の立ち上がり間にわたり補強用の横杆４を連結し且つ、枠杆３の天端３ａ間にわたり手提げ杆５を起倒自在に連結した骨格部材６に布製の筒体からなる篭本体１を被せて取り付けられ、箱体２の底面に消音と免震を図るゴム材からなる脚部７を突設する。
【００１５】
図７に示すように蓋本体８は篭本体１の開口を被うと共に、篭本体１の前方へ垂下させるため三つ折り可能に形成され、門型の手提げ杆５の立ち上がり間にわたり連結している横杆５ａに篭本体１の開口を被う中折れ蓋８ａ、８ｂの屈折部を着脱自在に取り付けると共に、篭本体１の前方へ垂下させる前垂れ蓋８ｃを折り畳み可能に一連に連設されている。
【００１６】
図３は篭本体１を台車１１から取り外している状態を示す斜視図であり、図４は篭本体１を台車１１に載せた状態を示す斜視図であり、図５はハンドル杆１５を傾動させた状態を示す斜視図である。
篭本体１の背面上部に図１１及び図１２に示す断面Ｕ字形の一対のフック９を下向きに取り付け、図２の背面図に示すように篭本体１の背面中央部に横長の面状ファスナ片１０を上下に取り付け、篭本体１を取り外し可能に載せる台車１１の後部に立設した門型枠杆１２の上部において、篭本体１を取り付ける横方向へ背向する掛け止め杆１３を設けると共に面状ファスナ片１０と対向する位置に横杆１２ａを設け、フック９を掛け止め杆１３に係脱自在に取り付けると共に、面状ファスナ片を横杆１２ａに巻き付けて篭本体１を台車１１に取り外し可能に載せ且つ固定する。
【００１７】
図１０に示すように、門型枠杆１２の背面上部に後方へ向けて一対のブラケット１４を取り付けると共にブラケット１４の外周縁に複数の係止溝１４ａを設け、門型枠杆１２の背面側に門型のハンドル杆１５を立設し、その下端をブラケットの中央部にわたり挿通している連結杆１６の突出端に傾動可能に取り付け、ハンドル杆１５の下方に平行して設けられた門型の操作杆１７の下端を外側へ屈曲し形成した係止部１７ａを係止溝１４ａに係脱自在に係止させると共に、係止部１７ａと連結杆１６にわたり引っ張りコイルバネ１８を弾支したのである。
【００１８】
尚、このハンドル杆１５を所望角度に傾動させる構造は、本出願人が既に実開昭６２−８１５９号において開示している。
本発明は、手提げ杆５を握持し独立した買物用バスケットとして使用し、或いは台車１１上に篭本体１を載せ、補強板を挿入し補強した中折れ蓋８ａ、８ｂの上面にスーパーマーケット備付けのバスケット１９を載せて軽快に店内を持ち運びし、開閉が容易な中折れ蓋８ａ、８ｂで篭本体１の開口を被い、前垂れ蓋８ｃに設けたファスナー付き袋２０に小物を入れ、篭本体１の前面に開閉自在なファスナー２１を取り付けて篭本体１の前面を大きく開口し、物品の出し入れを容易とした。尚、所望角度に傾動可能なハンドル杆１５を押し、或いは引っ張ってショッピングカーを移動させるのである。
【００１９】
ショッピングカーの移動中にバスケット１９が中折れ蓋８ａ、８ｂから落下しないようするため、ハンドル杆１５の上部にバンド２２を取り付けバスケット１９を結び付けている。
【図面の簡単な説明】
【００２０】
【図１】本発明に係るショッピングカーを示す正面図。
【図２】同、背面図。
【図３】篭本体１を台車１１から取り外した状態を示す斜視図。
【図４】篭本体１を台車１１に載せた状態を示す斜視図。
【図５】ハンドル杆１５を傾動させた状態を示す斜視図。
【図６】篭本体１を被せる骨格部材６を示す斜視図。
【図７】三つ折り可能な蓋本体８で篭本体１の開口を被うと共に、枠杆３の天端３              ａ間にわたり起倒自在に連結した手提げ杆５の立ち上がり間にわたり設け              ている横杆５ａに篭本体１の開口を被う中折れ蓋８ａ、８ｂの屈折部を着              脱自在に取り付けた状態を示す斜視図。
【図８】篭本体１を被せる骨格部材６の枠杆３の天端３ａに起倒自在に取り付けて              いる手提げ杆５を示す斜視図。
【図９】骨格部材６の枠杆３の天端３ａに起倒自在に取り付けている手提げ杆５の              横杆５ａに中折れ蓋８ａ、８ｂの屈折部を連結した状態を示す側面図。
【図１０】門型枠杆１２に取り付けたブラケット１４に設けている係止溝１４ａに操              作杆１７の係止部１７ａを係脱自在に係止させ、ハンドル杆１５を所望角              度に傾動させる状態を示す要部拡大斜視図。
【図１１】フック９を示す正面図。
【図１２】同、側面図。
【符号の説明】
【００２１】
１  篭本体  ２  箱体  ３  枠杆  ３ａ  天端  ５  手提げ杆  ５ａ  横杆
６  骨格部材  ８  蓋本体  ８ａ、８ｂ  中折れ蓋  ８ｃ  前垂れ蓋  ９  フック
１０  面状ファスナ  １１  台車  １２  門型枠杆  １２ａ  横杆  
１３  掛け止め杆    １５  ハンドル杆  ２０  ファスナー付き袋  
２１  ファスナー  ２２  バンド
【図１】
2010006203.tif 000003
【図２】
2010006203.tif 000004
【図３】
2010006203.tif 000005
【図４】
2010006203.tif 000006
【図５】
2010006203.tif 000007
【図６】
2010006203.tif 000008
【図７】
2010006203.tif 000009
【図８】
2010006203.tif 000010
【図９】
2010006203.tif 000011
【図１０】
2010006203.tif 000012
【図１１】
2010006203.tif 000013
【図１２】
2010006203.tif 000014